(57)【特許請求の範囲】
【請求項１】
埋込型の配線器具の機能面を露出させる開口部、前記配線器具が備える係止爪を係止する係止溝を有し前記開口部の周縁に設けられる固定梁部、前記係止爪を係止する係止溝を有し前記開口部の周縁に撓み自在に設けられる可動梁部を具備して造営面に設けた埋込孔の開口面側を覆うプレート枠と、前記配線器具の機能面を露出させる開口窓を有し前記プレート枠の前面を覆う主部、該主部の略全周縁より突出させた側壁を具備して前記プレート枠の前面に取り付ける化粧プレートとを備え、前記化粧プレートの対向する側壁間の幅寸法を前記プレート枠の各幅寸法よりも大きくして成るプレート構造であって、前記化粧プレートの背面側に係止突起を突設し該係止突起が係止する係止孔を前記プレート枠の前面に設けるとともに、前記化粧プレートの側壁に化粧プレート取外し用の治具を挿入する切欠部を設け、前記係止孔の周縁に一部を残して貫通溝を設けることにより該係止孔を有する化粧プレート取付部を前記残した部分で片持ち支持したことを特徴とする配線器具用のプレート構造。
【請求項２】
前記プレート枠の側面に当接するリブを前記化粧プレートの内側面に設けて成ることをことを特徴とする請求項１記載の配線器具用のプレート構造。
【請求項３】
前記プレート枠の側面に当接する当接部を前記化粧プレートの側壁に略全周に渡って設けて成ることを特徴とする請求項１記載の配線器具用のプレート構造。
【請求項４】
前記リブ又は当接部が前面側から当接する張出部を前記プレート枠周縁の少なくとも一部に設けて成ることを特徴とする請求項２又は３記載の配線器具用のプレート構造。
【請求項５】
前記張出部を前記プレート枠周縁の略全周に設けて成ることを特徴とする請求項４記載の配線器具用のプレート構造。
【請求項６】
前記埋込孔に埋設される埋込ボックスに取り付けるためのボックスねじが挿通される挿通孔を前記プレート枠に設けるとともに、前記張出部を前記挿通孔の周辺以外の部分に設けて成ることを特徴とする請求項４記載の配線器具用のプレート構造。
【請求項７】
前記プレート枠の周縁部に前記化粧プレートを取り付ける方向にガイドするテーパ面を形成して成ることを特徴とする請求項１記載の配線器具用のプレート構造。
【請求項８】
前記化粧プレートの周縁部に前記プレート枠への取付方向にガイドするテーパ面を形成して成ることを特徴とする請求項１記載の配線器具用のプレート構造。
【請求項９】
前記切欠部に対応する位置で化粧プレート取外し用の治具を逃がす逃がし部を前記プレート枠に設けて成ることを特徴とする請求項１記載の配線器具用のプレート構造。
【請求項１０】
前記逃がし部の背面側端部より前記化粧プレートの切欠部から突出しないリブを延設して成ることを特徴とする請求項９記載の配線器具用のプレート構造。
【請求項１１】
前記プレート枠の一方の側枠片に前記可動梁部を撓み自在に連結する連結部を可動梁部の両端に備え、前記可動梁部と側枠片との間にできるスリットの両端部を前記連結部の方へ屈曲させて成ることを特徴とする請求項１記載の配線器具用のプレート構造。
【請求項１２】
前記係止溝を前記固定梁部並びに可動梁部に等ピッチで設けて成ることを特徴とする請求項１記載の配線器具用のプレート構造。
【請求項１３】
前記プレート枠の開口部から機能面を露出させて前記固定梁部及び可動梁部に配線器具を係止固定する場合に前記開口部に対する配線器具の取付位置を所定の位置に仕切る仕切リブを前記固定梁部及び可動梁部に設けて成ることを特徴とする請求項１記載の配線器具用のプレート構造。
【請求項１４】
前記可動梁部と側枠片との間にできる前記スリットに嵌入する突条片を化粧プレートの背面側に突設して成ることを特徴とする請求項１１記載の配線器具用のプレート構造。
【請求項１５】
前記固定梁部及び可動梁部の係止溝に係止爪を係止して配線器具を前記プレート枠に取り付けたときに前記配線器具の側面の少なくとも一部に当接して配線器具のがたつきを抑える手段を前記プレート枠に備えて成ることを特徴とする請求項１記載の配線器具用のプレート構造。
【請求項１６】
前記プレート枠の側枠片前面から前記固定梁部の配線器具に対向する面まで貫通する器具外し孔を前記係止溝間に設けて成ることを特徴とする請求項１記載の配線器具用のプレート構造。
【請求項１７】
前記化粧プレートを取り付けるための取付ねじが螺着される取付ねじ孔を前記プレート枠に設けて成ることを特徴とする請求項１記載の配線器具用のプレート構造。
【請求項１８】
埋込型の配線器具の機能面を露出させる一対の開口部、前記配線器具が備える係止爪を係止する係止溝を有し前記一対の開口部間に設けられる固定梁部、前記係止爪を係止する係止溝を有し前記各開口部の周縁に撓み自在に設けられる可動梁部を具備して造営面に設けた埋込孔の開口面側を覆うプレート枠と、前記配線器具の機能面を露出させる一対の開口窓を有し前記プレート枠の前面を覆う主部、該主部の略全周縁より突出させた側壁を具備して前記プレート枠の前面に取り付ける化粧プレートとを備え、前記化粧プレートの対向する側壁間の幅寸法を前記プレート枠の各幅寸法よりも大きくして成るプレート構造であって、前記化粧プレートの背面側に係止突起を突設し該係止突起が係止する係止孔を前記プレート枠の前面に設けるとともに、前記化粧プレートの側壁に化粧プレート取外し用の治具を挿入する切欠部を設け、前記係止孔の周縁に一部を残して貫通溝を設けることにより該係止孔を有する化粧プレート取付部を前記残した部分で片持ち支持したことを特徴とする配線器具用のプレート構造。
【発明の詳細な説明】
【０００１】
【発明の属する技術分野】
本発明は、壁面等の造営面に設けた埋込孔に配線器具を配設するための配線器具用のプレート構造に関するものである。
【０００２】
【従来の技術】
従来より、壁面等の造営面に設けた埋込孔に埋込ボックス（スイッチボックス）を埋設し、スイッチやコンセント等の配線器具が着脱自在に取り付けられるプレート枠を埋込孔の前面側から埋込ボックスに取り付け、さらにプレート枠の前面に化粧プレートを取着することで配線器具を壁等に見栄え良く埋込配設するようにした配線器具用のプレート構造が提供されている。
【０００３】
【発明が解決しようとする課題】
ところが上記従来構造では、プレート枠と化粧プレートの突き合わせ面が壁面よりも前方に出ているため、両者の突き合わせの線が側面に見えたりあるいは両者が相対的にずれて見栄えが悪くなってしまうという問題があった。
本発明は上記問題点の解決を目的とするものであり、配線器具を造営面に設けた埋込孔に見栄え良く配設することができる配線器具用のプレート構造を提供しようとするものである。
【０００４】
【課題を解決するための手段】
請求項１の発明は、上記目的を達成するために、埋込型の配線器具の機能面を露出させる開口部、前記配線器具が備える係止爪を係止する係止溝を有し前記開口部の周縁に設けられる固定梁部、前記係止爪を係止する係止溝を有し前記開口部の周縁に撓み自在に設けられる可動梁部を具備して造営面に設けた埋込孔の開口面側を覆うプレート枠と、前記配線器具の機能面を露出させる開口窓を有し前記プレート枠の前面を覆う主部、該主部の略全周縁より突出させた側壁を具備して前記プレート枠の前面に取り付ける化粧プレートとを備え、前記化粧プレートの対向する側壁間の幅寸法を前記プレート枠の各幅寸法よりも大きくして成るプレート構造であって、前記化粧プレートの背面側に係止突起を突設し該係止突起が係止する係止孔を前記プレート枠の前面に設けるとともに、前記化粧プレートの側壁に化粧プレート取外し用の治具を挿入する切欠部を設け、前記係止孔の周縁に一部を残して貫通溝を設けることにより該係止孔を有する化粧プレート取付部を前記残した部分で片持ち支持したことを特徴とし、プレート枠の前面側に化粧プレートを取着したときにプレート枠が化粧プレートの内側に収まり、化粧プレートの側壁の先端縁が造営面にほぼ当接することになるため、従来のようにプレート枠と化粧プレートとの突き合わせ面が造営面よりも前方へ出ることがなく、両者の突き合わせの線が側面からはほとんど見えないようにして見栄えを良くすることができる。また、切欠部に治具を挿入して梃子の原理を用いて化粧プレートを持ち上げることにより、係止突起と係止孔との係止を解いて化粧プレートをプレート枠から容易に取り外すことができ、しかも、ボックスねじの締め付け等によってプレート枠が多少変形しても、係止孔を有する化粧プレート取付部を前記残した部分で片持ち支持しているために係止孔の部分に変形の影響が及び難く、化粧プレートをプレート枠に見栄え良く取り付けることができる。
【０００５】
請求項２の発明は、請求項１の発明において、前記プレート枠の側面に当接するリブを前記化粧プレートの内側面に設けて成ることをことを特徴とし、プレート枠に対する化粧プレートの造営面に沿った方向のがたつきを防止することができる。
請求項３の発明は、請求項１の発明において、前記プレート枠の側面に当接する当接部を前記化粧プレートの側壁に略全周に渡って設けて成ることを特徴とし、プレート枠に対する化粧プレートの造営面に沿った方向のがたつきを防止することができる。
【０００６】
請求項４の発明は、請求項２又は３の発明において、前記リブ又は当接部が前面側から当接する張出部を前記プレート枠周縁の少なくとも一部に設けて成ることを特徴とし、プレート枠に対する化粧プレートの造営面に略垂直な方向のがたつきを防止することができる。
請求項５の発明は、請求項４の発明において、前記張出部を前記プレート枠周縁の略全周に設けて成ることを特徴とし、プレート枠に対する化粧プレートの造営面に略垂直な方向のがたつきを防止することができる。
【０００７】
請求項６の発明は、請求項４の発明において、前記埋込孔に埋設される埋込ボックスに取り付けるためのボックスねじが挿通される挿通孔を前記プレート枠に設けるとともに、前記張出部を前記挿通孔の周辺以外の部分に設けて成ることを特徴とし、ボックスねじの締め付けでプレート枠が変形しても張出部が化粧プレートに干渉せずに見栄え良く取り付けることができる。
【０００８】
請求項７の発明は、請求項１の発明において、前記プレート枠の周縁部に前記化粧プレートを取り付ける方向にガイドするテーパ面を形成して成ることを特徴とし、化粧プレートをプレート枠の前面側から被せる際にテーパ面により化粧プレートがガイドされて容易に取り付けることができる。
請求項８の発明は、請求項１の発明において、前記化粧プレートの周縁部に前記プレート枠への取付方向にガイドするテーパ面を形成して成ることを特徴とし、化粧プレートをプレート枠の前面側から被せる際にテーパ面により化粧プレートがガイドされて容易に取り付けることができる。
【００１０】
請求項９の発明は、請求項１の発明において、前記切欠部に対応する位置で化粧プレート取外し用の治具を逃がす逃がし部を前記プレート枠に設けて成ることを特徴とし、切欠部に差し込まれた治具を逃がし部に逃がすことで奥まで挿入でき、化粧プレートを取り外す際に力が加え易くできる。
請求項１０の発明は、請求項９の発明において、前記逃がし部の背面側端部より前記化粧プレートの切欠部から突出しないリブを延設して成ることを特徴とし、切欠部に差し込んだ治具がリブに当接することにより、化粧プレートをプレート枠から取り外す際に治具によって造営面に傷が付くのを防ぐことができる。
【００１１】
請求項１１の発明は、請求項１の発明において、前記プレート枠の一方の側枠片に前記可動梁部を撓み自在に連結する連結部を可動梁部の両端に備え、前記可動梁部と側枠片との間にできるスリットの両端部を前記連結部の方へ屈曲させて成ることを特徴とし、プレート枠に取り付けた配線器具に前面側から背面方向への強い押圧力が加えられたときに可動梁部が開口部側へ倒れるように撓むこととなり、可動梁部の係止溝から配線器具の係止爪が外れることがなく、プレート枠からの配線器具の脱落を防止することができる。
【００１２】
請求項１２の発明は、請求項１の発明において、前記係止溝を前記固定梁部並びに可動梁部に等ピッチで設けて成ることを特徴とし、プレート枠に対する配線器具の取付位置の自由度を広げることができる。
請求項１３の発明は、請求項１の発明において、前記プレート枠の開口部から機能面を露出させて前記固定梁部及び可動梁部に配線器具を係止固定する場合に前記開口部に対する配線器具の取付位置を所定の位置に仕切る仕切リブを前記固定梁部及び可動梁部に設けて成ることを特徴とし、配線器具のプレート枠に対する取付位置の間違いを防止することができる。
【００１３】
請求項１４の発明は、請求項１１の発明において、前記可動梁部と側枠片との間にできる前記スリットに嵌入する突条片を化粧プレートの背面側に突設して成ることを特徴とし、突条片によって可動梁部の動きが規制されるために配線器具に大きな衝撃等が加えられた場合でも、配線器具の係止爪と可動梁部の係止溝との係止が外れ難くなる。
【００１４】
請求項１５の発明は、請求項１の発明において、前記固定梁部及び可動梁部の係止溝に係止爪を係止して配線器具を前記プレート枠に取り付けたときに前記配線器具の側面の少なくとも一部に当接して配線器具のがたつきを抑える手段を前記プレート枠に備えて成ることを特徴とし、プレート枠に取り付けた状態の配線器具のがたつきを抑えることできるとともに、配線器具に不要な力が加えられた場合でも係止爪が破損する等の不具合の発生を防止することができる。
【００１６】
請求項１６の発明は、請求項１の発明において、前記プレート枠の側枠片前面から前記固定梁部の配線器具に対向する面まで貫通する器具外し孔を前記係止溝間に設けて成ることを特徴とし、器具外し孔に挿入した治具の先端部分で配線器具を可動梁部側へ押してやれば梃子の原理によって僅かな力で可動梁部を撓ますことができ、固定梁部側の係止溝と配線器具の係止爪との係止を解いてプレート枠から配線器具を容易に取り外すことができる。
【００１７】
請求項１７の発明は、請求項１の発明において、前記化粧プレートを取り付けるための取付ねじが螺着される取付ねじ孔を前記プレート枠に設けて成ることを特徴とし、取付ねじによって取り付ける金属製の化粧プレートにも対応できる。
請求項１８の発明は、上記目的を達成するために、埋込型の配線器具の機能面を露出させる一対の開口部、前記配線器具が備える係止爪を係止する係止溝を有し前記一対の開口部間に設けられる固定梁部、前記係止爪を係止する係止溝を有し前記各開口部の周縁に撓み自在に設けられる可動梁部を具備して造営面に設けた埋込孔の開口面側を覆うプレート枠と、前記配線器具の機能面を露出させる一対の開口窓を有し前記プレート枠の前面を覆う主部、該主部の略全周縁より突出させた側壁を具備して前記プレート枠の前面に取り付ける化粧プレートとを備え、前記化粧プレートの対向する側壁間の幅寸法を前記プレート枠の各幅寸法よりも大きくして成るプレート構造であって、前記化粧プレートの背面側に係止突起を突設し該係止突起が係止する係止孔を前記プレート枠の前面に設けるとともに、前記化粧プレートの側壁に化粧プレート取外し用の治具を挿入する切欠部を設け、前記係止孔の周縁に一部を残して貫通溝を設けることにより該係止孔を有する化粧プレート取付部を前記残した部分で片持ち支持したことを特徴とし、プレート枠の前面側に化粧プレートを取着したときにプレート枠が化粧プレートの内側に収まり、化粧プレートの側壁の先端縁が造営面にほぼ当接することになるため、従来のようにプレート枠と化粧プレートとの突き合わせ面が造営面よりも前方へ出ることがなく、両者の突き合わせの線が側面からはほとんど見えないようにして見栄えを良くすることができるとともに、プレート枠及び化粧プレートを２組用いて配線器具を配設する場合に対してプレート枠及び化粧プレートが１組で済み、部品点数の削減が図れ、且つ１箇所に配設可能な配線器具の個数や組み合わせのパターンが増えることになり、使い勝手が良くなる。また、切欠部に治具を挿入して梃子の原理を用いて化粧プレートを持ち上げることにより、係止突起と係止孔との係止を解いて化粧プレートをプレート枠から容易に取り外すことができ、しかも、ボックスねじの締め付け等によってプレート枠が多少変形しても、係止孔を有する化粧プレート取付部を前記残した部分で片持ち支持しているために係止孔の部分に変形の影響が及び難く、化粧プレートをプレート枠に見栄え良く取り付けることができる。
【００１８】
【発明の実施の形態】
（基本例１）
本発明の実施形態を説明する前に、図１〜図１４を参照して本発明の基本構成を備えた基本例について説明する。
本発明のプレート構造はプレート枠Ａと化粧プレートＢとから成る。矩形枠状のプレート枠本体１は絶縁性を有する合成樹脂（ＡＢＳ樹脂のような熱可塑性樹脂又は弾性を有する熱硬化性樹脂）により各部材が一体に形成されており、その中央部には図１１に示すようなスイッチやコンセント等の配線器具Ｃの器体６０の機能面（スイッチの操作体が設けられた面やコンセントの差込み口が設けられた面）を前面側へ露出させるために矩形の開口部２が設けてある。この開口部２の周縁背面側には、開口部２の長手方向に沿って互いに対向するように帯状の固定梁部４並びに可動梁部５が設けてある。可動梁部５はプレート枠本体１の長手方向に沿った一対の側枠片３ａ，３ｂの一方の側枠片３ｂから離間し、且つ連結部６によりその両端において側枠片３ｂに一体に連結してある。ここで、可動梁部５並びに連結部６を含めてプレート枠本体１を形成している合成樹脂は可撓性材料であり、プレート枠本体１に対して可動梁部５並びに連結部６がそれぞれ撓み自在となっている。
【００１９】
また、側枠片３ｂから一体に延設された幅狭の一対のリブ７によって可動梁部５が支持されており、可動梁部５と側枠片３ｂとの間にできる隙間が上記リブ７によって３つの部分（以下、各部分をスリット８ａ〜８ｃと呼ぶ。）に分割されることになる。このうち、両側のスリット８ａ，８ｃは外側端部が連結部６の方へ屈曲させてある。さらに側枠片３ｂの各リブ７近傍の部位には、可動梁部５を撓み易くさせるために長孔状の溝９が一対設けてある。
【００２０】
一方、固定梁部４並びに可動梁部５の開口部２側の面には、配線器具Ｃの器体６０の両側面から一対ずつ突設された係止爪６１が係止する係止溝４ａ，５ａを各々３対ずつ等ピッチにて設けてある。従って、配線器具Ｃの器体６０に設けた係止爪６１を各係止溝４ａ，５ａに係止することにより、器体６０の上記機能面を開口部２から露出させた状態でプレート枠本体１に配線器具Ｃの器体６０を取着することができる。ここで固定梁部４並びに可動梁部５の先端部分には、配線器具Ｃの係止爪６１をプレート枠本体１の背面側から係止溝４ａ，５ａに係止する際に、各係止爪６１を係止溝４ａ，５ａにガイドするため、各々外側に向けて傾斜したテーパ面を有するガイド部４ｂ，５ｂが設けてある。すなわち、図１２に示すようにプレート枠Ａに配線器具Ｃを取り付ける際に、係止爪６１をガイド部４ｂ，５ｂのテーパ面に当接した状態で配線器具Ｃの器体６０をプレート枠本体１の背面側から前面側に押し込めば、係止爪６１がガイド部４ｂ，５ｂのテーパ面に沿って移動することにより、ガイド部４ｂ，５ｂにガイドされてスムーズに係止溝４ａ，５ａに係止することができるものである。
【００２１】
また、固定梁部４並びに可動梁部５の基部とプレート枠本体１の開口部２の端縁との間には、係止爪６１を各係止溝４ａ，５ａに係止させた状態で配線器具Ｃの器体６０の前面側の一部に当接する当接部４ｄ，５ｄが設けてある。このため、プレート枠Ａに取り付けた状態で配線器具Ｃの器体６０にプレート枠Ａの前面方向へ力が加わった場合に、器体６０が前面側へ移動するのを当接部４ｄ，５ｄによって規制することができる。同様に、配線器具Ｃの器体６０にプレート枠Ａの背面方向へ力が加わった場合には、係止爪６１と係止溝４ａ，５ａとが当接しているために器体６０の移動が規制できる。しかもプレート枠本体１の可動梁部５と側枠片３ｂとを連結している連結部６は、スリット８ａ，８ｃの外側端部が屈曲して形成されていることで薄肉になっており、その結果配線器具Ｃの器体６０に前面側から背面方向への強い押圧力が加えられたときに可動梁部５が開口部２側へ倒れるように撓むので、可動梁部５の係止溝５ａから配線器具Ｃの器体６０に設けた係止爪６１が外れることがなく、プレート枠Ａからの配線器具Ｃの脱落を防止することができる。
【００２２】
さらに固定梁部４には各係止溝４ａの間にプレート枠本体１の前面側から貫通する器具外し孔４ｃが穿設してあって、ドライバや取外し専用の治具等の先端部分をこの器具外し孔４ｃに挿入し、治具の先端部分で器体６０を可動梁部５側へ押してやれば梃子の原理によって僅かな力で可動梁部５を撓ますことができ、固定梁部４側の係止溝４ａと器体６０の係止爪６１との係止を解いてプレート枠本体１から配線器具Ｃの器体６０を取り外すことができるようになっている。
【００２３】
ところで、開口部２の寸法は図１１に示す配線器具Ｃの寸法を基準寸法（以下、この寸法を「１個モジュール寸法」と呼ぶ。）としたときに、配線器具Ｃの長手方向を開口部２の長手方向と略直交させた状態で１個モジュール寸法の配線器具Ｃが長手方向と直交する方向に３個並べて取り付けることができる寸法（以下、この寸法を「３個モジュール寸法」と呼ぶ。）にしてある。同様にプレート枠本体１の固定梁部４及び可動梁部５に設けた各係止溝４ａ，５ａのピッチは、１個モジュール寸法の配線器具Ｃの器体６０側面に突設されている係止爪６１のピッチと等しくなっている。なお、上記１個モジュール寸法は適当な値に設定すればよく（わが国においては、「大角形連用配線器具」としてＪＩＳで規格化されている（ＪＩＣ  Ｃ  ８３７５等参照）。）、このようなモジュール寸法に適合した配線器具であれば、共通にプレート枠Ａに取り付けることができるものである。
【００２４】
一方、固定梁部４及び可動梁部５の各係止溝４ａ，５ａは全て等ピッチで６個ずつ設けてあるので、１個モジュール寸法の配線器具Ｃをプレート枠本体１に取り付ける際に配線器具Ｃの器体６０に設けた一対の係止爪６１が何れの係止溝４ａ，５ａにも係止させることができ、プレート枠本体１の開口部２に対する配線器具Ｃの取付位置は５通りの中から任意に選択することができる。なお、２個モジュール寸法の配線器具の場合であれば、３通りの取付位置の中から選択することができる。
【００２５】
ところで、プレート枠本体１の長手方向に対向する両側片１０には各々凹所１１が形成してある。各凹所１１には、プレート枠Ａを埋込ボックス（図示せず）に取り付けるためのボックスねじを挿通する長孔１２と、プレート枠Ａを壁面等の造営面に直付けするためのねじが挿通されるねじ挿通孔１３と、造営面を形成する壁パネル等に取り付ける際に使用するはさみ金具（図示せず）を係止するはさみ金具係止孔１４とが設けてある。
【００２６】
またプレート枠本体１の四隅には、化粧プレートＢのプレート本体５０背面から突設した係止突起５３を係止する化粧プレート係止孔１５が設けてあり、これらの化粧プレート係止孔１５に係止突起５３を挿入係止することでプレート枠Ａの前面側に化粧プレートＢを着脱自在に取り付けることができるようになっている。
【００２７】
一方、化粧プレートＢのプレート本体５０は、絶縁性を有する合成樹脂（ＡＢＳ樹脂のような熱可塑性樹脂又は弾性を有する熱硬化性樹脂）により、プレート枠Ａの前面を覆う矩形の主部５１と、主部５１の全周縁から背面側に突出する側壁５２とを一体に形成した略箱形としてある。上記係止突起５３は主部５１の背面側の四隅に突設してある。また主部５１の略中央には、プレート枠Ａに取り付けた配線器具Ｃの機能面を露出する開口窓５１ａが設けてある。ここで、プレート本体５０の対向する側壁５２間の幅寸法がプレート枠本体１の各幅寸法よりも大きくしてある。すなわち、造営面に配設したプレート枠Ａの前面側に化粧プレートＢを取着したとき、プレート枠本体１が化粧プレートＢのプレート本体５０の内側に収まり、プレート本体５０の側壁５２の先端縁が造営面にほぼ当接することになる。その結果、従来のようにプレート枠Ａと化粧プレートＢとの突き合わせ面が造営面よりも前方へ出ることがなく、両者の突き合わせの線が側面からはほとんど見えないようにして見栄えを良くすることができる。
【００２８】
また、プレート本体５０の各側壁５２には、造営面に当接する端縁から主部５１の方へ傾斜する傾斜面５２ａを設けるとともに、それぞれプレート枠本体１の側面に造営面に沿った方向から当接して化粧プレートＢの動きを規制する規制リブ５４を複数列設している。すなわち、プレート枠Ａの前面側に化粧プレートＢを取り付けたときに規制リブ５４がプレート枠本体１の側面に当接し、プレート枠本体１に対する化粧プレートＢのがたつきを防止することができる。なお、図８に示すように規制リブ５４の背面側にもガイド用のテーパ面５４ａを設けるようにすれば、化粧プレートＢがさらに取り付け易くなるものである。
【００２９】
一方、図３に示すようにプレート枠本体１の両側枠片３ａ，３ｂの側面から背面側に向かうにつれて外側に傾斜するテーパ面３ｃ並びにテーパ面３ｃに連続して外側に張り出した張出部３ｄが形成されており、この張出部３ｄの前面に載置されて化粧プレートＢのがたつきを防ぐリブ５５がプレート本体５０の主部５１より長手方向に直交する方向の側壁５２の内側面に沿って突設してある。ここで、プレート枠Ａに化粧プレートＢを取り付ける際に、化粧プレートＢの規制リブ５４がプレート枠本体１の側枠片３ａ，３ｂに形成した上記テーパ面３ｃにガイドされるため、取り付けが容易になるという利点がある。なお、上記規制リブ５４並びにがたつき防止用のリブ５５の代わりに、図１３に示すようにプレート枠本体１の上記張出部３ｄに当接する当接部５７を側壁５２に沿って全周に渡って設けるようにしてもよく、この場合にもプレート枠Ａに対する化粧プレートＢのがたつきを防止することができる。
【００３０】
プレート本体５０の長手方向に沿った一方の側壁５２には一対の切欠部５６が設けてあり、この切欠部５６に治具（ドライバの先端等）を差し込んでプレート本体５０に前面側への力を加えることにより、プレート本体５０の係止突起５３とプレート枠本体１の化粧プレート係止孔１５との係止を解除し、化粧プレートＢをプレート枠Ａから取り外すことができるようにしてある。ここで、プレート枠本体１の側枠片３ｂの切欠部５６に対応する位置にはテーパ面３ｃよりも内側へ窪んだ逃がし部１６が設けてあり、切欠部５６に差し込まれた治具を逃がすことで奥まで挿入でき、化粧プレートＢを取り外す際に力が加え易くしてある。さらに、逃がし部１６の背面側端部からは張出部３ｄよりも薄肉のリブ１７が、化粧プレートＢの切欠部５６から突出しない程度まで延設してある。すなわち、切欠部５６に差し込んだ治具に造営面に当接する部分を支点として力を加えることで造営面に傷が付く虞があるが、リブ１７を設けることで切欠部５６に差し込んだ治具がリブ１７に当接することになり、化粧プレートＢをプレート枠Ａから取り外す際に治具によって造営面に傷が付くのを防ぐことができる。
【００３１】
またプレート本体５０の背面側には、プレート枠Ａに取着したときにプレート枠本体１に設けた３つのスリット８ａ〜８ｃにそれぞれ嵌入される突条片５８ａ〜５８ｃが列設してある。ここで、各突条片５８ａ〜５８ｃの寸法は、プレート枠本体１の各スリット８ａ〜８ｃに嵌入された状態で、スリット８ａ〜８ｃの内周面と各突条片５８ａ〜５８ｃとの間に僅かな隙間しか生じないような寸法に設定してある。すなわち、配線器具Ｃを取り付けたプレート枠Ａに化粧プレートＢを取着した状態では、３つの突条片５８ａ〜５８ｃがプレート枠本体１の各スリット８ａ〜８ｃに嵌入され、スリット８ａ〜８ｃの内周面と各突条片５８ａ〜５８ｃとの間には僅かな隙間しか生じないことから、プレート枠本体１の可動梁部５の動き（撓み）が規制されることになる。その結果、配線器具Ｃとしてコンセントを使用しているときにコンセントに差し込まれたプラグを異常に大きな力で引き抜く等の衝撃が加えられた場合でも、上記の如く可動梁部５の動きが規制されているために配線器具Ｃの係止爪６１と可動梁部５及び固定梁部４の係止溝５ａ，４ａとの係止が外れ難くなるものである。
【００３２】
ところで、本基本例では合成樹脂製の化粧プレートＢを用いているが、金属製の化粧プレートが用いられる場合もある。金属製の化粧プレート（図示せず）の場合には合成樹脂製の化粧プレートＢのような係止突起５３を設けることができない。そこで、金属製の化粧プレートをプレート枠Ａに取り付けるために、金属製の化粧プレートを取り付ける取付ねじが螺着される取付ねじ孔１９をプレート枠本体１’の凹所１１に設けるようにしてもよい（図１４参照）。これにより、係止突起５３を有する合成樹脂製の化粧プレートＢ、並びに取付ねじによって取り付ける金属製の化粧プレートの何れにも対応できることになる。
【００３３】
また、化粧プレートＢの規制リブ５４やがたつき防止用のリブ５５が載置される張出部３ｄは、図１４に示すようにプレート枠本体１’の全周に設けるようにしてもよいが、その場合には埋込ボックスに取り付けるためにボックスねじを締め付けたときにプレート枠本体１’が多少変形することでボックスねじが挿通される長孔１２の周辺部分で化粧プレートＢとプレート枠本体１’とが干渉し、化粧プレートＢが見栄え良く取り付けられない場合がある。そこで、本基本例のように長孔１２の周辺（プレート枠本体１の四隅）を逃げて張出部３ｄを設けることにより、ボックスねじの締め付けでプレート枠本体１が変形しても化粧プレートＢに干渉せずに見栄え良く取り付けることができる。
【００３４】
なお、造営面に配設されたプレート枠Ａに配線器具を取り付けるまでの間、プレート枠Ａの開口部２を塞いでおくために、開口窓５１ａを有しない化粧プレートＢをプレート枠Ａに取り付けるようにしてもよい。
（基本例２）
本発明の第２の基本例を図１５〜図１７を参照して説明する。但し、本基本例の基本構成は基本例１と共通であり、共通する部分については同一の符号を付して図示並びに説明は省略する。
【００３５】
上記基本例１においては、固定梁部４及び可動梁部５の各係止溝４ａ，５ａを全て等ピッチで６個ずつ設けることにより、プレート枠本体１の開口部２に対する配線器具Ｃの取付位置が数通りの中から任意に選択することができるようにしてある。しかしながら、プレート枠Ａに対する配線器具Ｃの取付位置が増えることにより、各取付位置に対応した開口窓５１ａを有する化粧プレートＢを揃える必要が生じる等のデメリットもある。
【００３６】
そこで本基本例では、プレート枠Ａの３個モジュール寸法の開口部２に対して１個モジュール寸法の配線器具Ｃが３個並べて取り付けることができるように取付位置を限定するために、固定梁部４並びに可動梁部５の係止溝４ａ，５ａの近傍に仕切リブ２０を突設している。これらの仕切リブ２０は、固定梁部４並びに可動梁部５の内側面に各一対ずつ計３組が設けられた係止溝４ａ，５ａの各組の外側の位置にそれぞれ一対ずつがプレート枠本体１と一体に突設されている。すなわち、上記の３個並べて取り付けることができる取付位置以外で配線器具Ｃを取り付けようとしても、係止溝４ａ，５ａの各組の間に突出する仕切リブ２０が器体６０に干渉するために取り付けることができないものである。また、本基本例においては、上記取付位置に配線器具Ｃの器体６０を取り付けたときに各仕切リブ２０が器体６０側面の少なくとも一部に当接するような位置に突設してある。つまり、プレート枠Ａに取り付けた状態の配線器具Ｃの器体６０のがたつきを抑える手段を仕切リブ２０で兼用している。そのため、取付状態における器体６０のがたつきを抑えることにより器体６０に不要な力が加えられた場合でも係止爪６１が破損する等の不具合の発生を防止することができる。なお本基本例では、図１６及び図１７に示すように仕切リブ２０に段部２０ａを設けることで配線器具Ｃの器体６０に対して横方向と上方向の両方向から当接させて、がたつきの防止をより確実に行えるようにしてある。
【００３７】
（実施形態１）
本発明の第１の実施形態を図１８を参照して説明する。但し、本実施形態の基本構成は基本例１と共通であり、共通する部分については同一の符号を付して図示並びに説明は省略する。
既に説明したようにプレート枠Ａをボックスねじを使って埋込ボックスに取り付けた場合に、ボックスねじの締め付けによってプレート枠Ａが多少変形することがあり、変形したプレート枠Ａの化粧プレート係止孔１５に化粧プレートＢの係止突起５３が係止できないために、化粧プレートＢがプレート枠Ａに取り付けることができなかったり、あるいは取り付けることができたとしてもプレート枠Ａと化粧プレートＢの突き合わせ面に隙間が生じる虞がある。
【００３８】
そこで本実施形態では、プレート枠本体１の四隅に設けた化粧プレート係止孔１５の周縁に一部を残して貫通溝２１を設けることにより、化粧プレート係止孔１５を有する化粧プレート取付部２２を上記残した部分（これを支持片２３と呼ぶ。）で片持ち支持するようにして、化粧プレート係止孔１５の周縁部分を薄肉にしてある。
【００３９】
すなわち、ボックスねじの締め付け等によってプレート枠Ａが多少変形しても、幅細の支持片２３で片持ち支持されている化粧プレート取付部２２には上記変形の影響が及び難いので、化粧プレートＢをプレート枠Ａに見栄え良く取り付けることができるものである。なお、図１８に示すように本実施形態では４箇所ある化粧プレート係止孔１５のうちの１箇所のみを上記構造としているが、２箇所又は３箇所でもよく、４箇所前部を上記と同様の構造とするのが望ましい。
【００４０】
（実施形態２）
本発明の第２の実施形態を図１９〜図２４を参照して説明する。
上記基本例１，２及び実施形態１では、プレート枠本体１の略中央に３個モジュール寸法の開口部２を１つだけ有する所謂１連型のものを例示したが、本実施形態は３個モジュール寸法の開口部２を長手方向に直交する方向に並べた所謂２連型のものである。なお、基本的な構成は基本例１，２及び実施形態１と共通であるので共通する部分については同一の番号を付して説明は省略する。
【００４１】
本実施形態におけるプレート枠Ａ”のプレート枠本体１”は、図１９に示すように基本例１における１連のプレート枠本体１を長手方向に直交する方向に２個並べて一体にしたような構造を有する。プレート枠本体１”の略中央には３個モジュール寸法の開口部２1 ，２2 が長手方向に直交する方向に並べて設けてあり、両開口部２1 ，２2 を仕切る中央枠片２４に固定梁部４”が設けてある。この固定梁部４”の両側面には、図２０に示すように各々係止溝４ａが等ピッチで各一対ずつの計３組が設けてある。なお各係止溝４ａの組の外側には、基本例２と同様に仕切リブ２０が突設してある。
【００４２】
またプレート枠本体１”の両側枠片３ａ，３ｂには、連結部６によって連結された可動梁部５、スリット８ａ〜８ｃ、溝９がそれぞれ設けてあり、各可動梁部５にも各一対の計３組の係止溝５ａが設けてある。さらに各開口部２１  ，２２  両側の側片１０には、それぞれ凹所１１、長孔１２、ねじ挿通孔１３並びにはさみ金具係止孔１４が設けてあり、プレート枠本体１”の四隅には化粧プレートＢ”の係止突起５３が挿入係止される化粧プレート係止孔１５が設けてある。
【００４３】
一方、本実施形態における化粧プレートＢ”のプレート本体５０”は、全周に渡って側壁５２”が形成された主部５１”の略中央に、長手方向に直交する方向で並ぶ一対の開口窓５１ａ”を有するものである。この開口窓５１ａ”の寸法は３個モジュール寸法に対応した寸法であって、プレート枠Ａ”に１個モジュール寸法の配線器具Ｃを３個並べて取り付けたときあるいは３個モジュール寸法の配線器具Ｃを取り付けたときに各配線器具Ｃの機能面を露出させることができるようになっている。なお本実施形態においても、プレート本体５０”の対向する側壁５２”間の幅寸法をプレート枠本体１”の各幅寸法よりも大きくしてあるから、プレート枠Ａ”の前面側に化粧プレートＢ”を取着したときにプレート枠本体１”がプレート本体５０”の内側に収まり、基本例１と同様に両者の突き合わせの線が側面からはほとんど見えないようにして見栄えを良くすることができる。
【００４４】
また主部５１”の背面には、プレート枠本体１”の化粧プレート係止孔１５に挿入係止される係止突起５３、側枠片３ａ，３ｂの各スリット８ａ〜８ｃに嵌入される突条片５８ａ〜５８ｃが突設してある。さらに側壁５２には、プレート枠本体１”の側面に当接してプレート枠本体１”に対する化粧プレートＢ”のがたつきを防止する規制リブ５４、プレート枠本体１”の張出部３ｄの前面に載置されて化粧プレートＢ”のがたつきを防ぐリブ５５、化粧プレートＢ”をプレート枠Ａ”から取り外す際に治具が挿入される切欠部５６が設けてある。
【００４５】
本実施形態においては、プレート枠Ａ及び化粧プレートＢを２組用いて配線器具を配設する場合に対して、プレート枠Ａ”及び化粧プレートＢ”が１組で済み、部品点数の削減が図れるという利点がある。また、１箇所に配設可能な配線器具の個数や組み合わせのパターンが増えることになり、使い勝手が良くなるという利点もある。
【００４６】
【発明の効果】
請求項１の発明は、埋込型の配線器具の機能面を露出させる開口部、前記配線器具が備える係止爪を係止する係止溝を有し前記開口部の周縁に設けられる固定梁部、前記係止爪を係止する係止溝を有し前記開口部の周縁に撓み自在に設けられる可動梁部を具備して造営面に設けた埋込孔の開口面側を覆うプレート枠と、前記配線器具の機能面を露出させる開口窓を有し前記プレート枠の前面を覆う主部、該主部の略全周縁より突出させた側壁を具備して前記プレート枠の前面に取り付ける化粧プレートとを備え、前記化粧プレートの対向する側壁間の幅寸法を前記プレート枠の各幅寸法よりも大きくして成るプレート構造であって、前記化粧プレートの背面側に係止突起を突設し該係止突起が係止する係止孔を前記プレート枠の前面に設けるとともに、前記化粧プレートの側壁に化粧プレート取外し用の治具を挿入する切欠部を設け、前記係止孔の周縁に一部を残して貫通溝を設けることにより該係止孔を有する化粧プレート取付部を前記残した部分で片持ち支持したので、プレート枠の前面側に化粧プレートを取着したときにプレート枠が化粧プレートの内側に収まり、化粧プレートの側壁の先端縁が造営面にほぼ当接することになるため、従来のようにプレート枠と化粧プレートとの突き合わせ面が造営面よりも前方へ出ることがなく、両者の突き合わせの線が側面からはほとんど見えないようにして見栄えを良くすることができるという効果がある。また、切欠部に治具を挿入して梃子の原理を用いて化粧プレートを持ち上げることにより、係止突起と係止孔との係止を解いて化粧プレートをプレート枠から容易に取り外すことができ、しかも、ボックスねじの締め付け等によってプレート枠が多少変形しても、係止孔を有する化粧プレート取付部を前記残した部分で片持ち支持しているために係止孔の部分に変形の影響が及び難く、化粧プレートをプレート枠に見栄え良く取り付けることができるという効果がある。
【００４７】
請求項２の発明は、前記プレート枠の側面に当接するリブを前記化粧プレートの内側面に設けて成るので、プレート枠に対する化粧プレートの造営面に沿った方向のがたつきを防止することができるという効果がある。
請求項３の発明は、前記プレート枠の側面に当接する当接部を前記化粧プレートの側壁に略全周に渡って設けて成るので、プレート枠に対する化粧プレートの造営面に沿った方向のがたつきを防止することができるという効果がある。
【００４８】
請求項４の発明は、前記リブ又は当接部が前面側から当接する張出部を前記プレート枠周縁の少なくとも一部に設けて成るので、プレート枠に対する化粧プレートの造営面に略垂直な方向のがたつきを防止することができるという効果がある。
請求項５の発明は、前記張出部を前記プレート枠周縁の略全周に設けて成るので、プレート枠に対する化粧プレートの造営面に略垂直な方向のがたつきを防止することができるという効果がある。
請求項６の発明は、前記埋込孔に埋設される埋込ボックスに取り付けるためのボックスねじが挿通される挿通孔を前記プレート枠に設けるとともに、前記張出部を前記挿通孔の周辺以外の部分に設けて成るので、ボックスねじの締め付けでプレート枠が変形しても張出部が化粧プレートに干渉せずに見栄え良く取り付けることができるという効果がある。
【００４９】
請求項７の発明は、前記プレート枠の周縁部に前記化粧プレートを取り付ける方向にガイドするテーパ面を形成して成るので、化粧プレートをプレート枠の前面側から被せる際にテーパ面により化粧プレートがガイドされて容易に取り付けることができるという効果がある。
請求項８の発明は、前記化粧プレートの周縁部に前記プレート枠への取付方向にガイドするテーパ面を形成して成るので、化粧プレートをプレート枠の前面側から被せる際にテーパ面により化粧プレートがガイドされて容易に取り付けることができるという効果がある。
【００５１】
請求項９の発明は、前記切欠部に対応する位置で化粧プレート取外し用の治具を逃がす逃がし部を前記プレート枠に設けて成るので、切欠部に差し込まれた治具を逃がし部に逃がすことで奥まで挿入でき、化粧プレートを取り外す際に力が加え易くできるという効果がある。
請求項１０の発明は、前記逃がし部の背面側端部より前記化粧プレートの切欠部から突出しないリブを延設して成るので、切欠部に差し込んだ治具がリブに当接することにより、化粧プレートをプレート枠から取り外す際に治具によって造営面に傷が付くのを防ぐことができるという効果がある。
【００５２】
請求項１１の発明は、前記プレート枠の一方の側枠片に前記可動梁部を撓み自在に連結する連結部を可動梁部の両端に備え、前記可動梁部と側枠片との間にできるスリットの両端部を前記連結部の方へ屈曲させて成るので、プレート枠に取り付けた配線器具に前面側から背面方向への強い押圧力が加えられたときに可動梁部が開口部側へ倒れるように撓むこととなり、可動梁部の係止溝から配線器具の係止爪が外れることがなく、プレート枠からの配線器具の脱落を防止することができるという効果がある。
【００５３】
請求項１２の発明は、前記係止溝を前記固定梁部並びに可動梁部に等ピッチで設けて成るので、プレート枠に対する配線器具の取付位置の自由度を広げることができるという効果がある。
請求項１３の発明は、前記プレート枠の開口部から機能面を露出させて前記固定梁部及び可動梁部に配線器具を係止固定する場合に前記開口部に対する配線器具の取付位置を所定の位置に仕切る仕切リブを前記固定梁部及び可動梁部に設けて成るので、配線器具のプレート枠に対する取付位置の間違いを防止することができるという効果がある。
【００５４】
請求項１４の発明は、前記可動梁部と側枠片との間にできる前記スリットに嵌入する突条片を化粧プレートの背面側に突設して成るので、突条片によって可動梁部の動きが規制されるために配線器具に大きな衝撃等が加えられた場合でも、配線器具の係止爪と可動梁部の係止溝との係止が外れ難くなるという効果がある。
【００５５】
請求項１５の発明は、前記固定梁部及び可動梁部の係止溝に係止爪を係止して配線器具を前記プレート枠に取り付けたときに前記配線器具の側面の少なくとも一部に当接して配線器具のがたつきを抑える手段を前記プレート枠に備えて成るので、プレート枠に取り付けた状態の配線器具のがたつきを抑えることできるとともに、配線器具に不要な力が加えられた場合でも係止爪が破損する等の不具合の発生を防止することができるという効果がある。
【００５７】
請求項１６の発明は、前記プレート枠の側枠片前面から前記固定梁部の配線器具に対向する面まで貫通する器具外し孔を前記係止溝間に設けて成るので、器具外し孔に挿入した治具の先端部分で配線器具を可動梁部側へ押してやれば梃子の原理によって僅かな力で可動梁部を撓ますことができ、固定梁部側の係止溝と配線器具の係止爪との係止を解いてプレート枠から配線器具を容易に取り外すことができるという効果がある。
【００５８】
請求項１７の発明は、前記化粧プレートを取り付けるための取付ねじが螺着される取付ねじ孔を前記プレート枠に設けて成るので、取付ねじによって取り付ける金属製の化粧プレートにも対応できるという効果がある。
請求項１８の発明は、埋込型の配線器具の機能面を露出させる一対の開口部、前記配線器具が備える係止爪を係止する係止溝を有し前記一対の開口部間に設けられる固定梁部、前記係止爪を係止する係止溝を有し前記各開口部の周縁に撓み自在に設けられる可動梁部を具備して造営面に設けた埋込孔の開口面側を覆うプレート枠と、前記配線器具の機能面を露出させる一対の開口窓を有し前記プレート枠の前面を覆う主部、該主部の略全周縁より突出させた側壁を具備して前記プレート枠の前面に取り付ける化粧プレートとを備え、前記化粧プレートの対向する側壁間の幅寸法を前記プレート枠の各幅寸法よりも大きくして成るプレート構造であって、前記化粧プレートの背面側に係止突起を突設し該係止突起が係止する係止孔を前記プレート枠の前面に設けるとともに、前記化粧プレートの側壁に化粧プレート取外し用の治具を挿入する切欠部を設け、前記係止孔の周縁に一部を残して貫通溝を設けることにより該係止孔を有する化粧プレート取付部を前記残した部分で片持ち支持したので、プレート枠の前面側に化粧プレートを取着したときにプレート枠が化粧プレートの内側に収まり、化粧プレートの側壁の先端縁が造営面にほぼ当接することになるため、従来のようにプレート枠と化粧プレートとの突き合わせ面が造営面よりも前方へ出ることがなく、両者の突き合わせの線が側面からはほとんど見えないようにして見栄えを良くすることができるとともに、プレート枠及び化粧プレートを２組用いて配線器具を配設する場合に対してプレート枠及び化粧プレートが１組で済み、部品点数の削減が図れ、且つ１箇所に配設可能な配線器具の個数や組み合わせのパターンが増えることになり、使い勝手が良くなるという効果がある。また、切欠部に治具を挿入して梃子の原理を用いて化粧プレートを持ち上げることにより、係止突起と係止孔との係止を解いて化粧プレートをプレート枠から容易に取り外すことができ、しかも、ボックスねじの締め付け等によってプレート枠が多少変形しても、係止孔を有する化粧プレート取付部を前記残した部分で片持ち支持しているために係止孔の部分に変形の影響が及び難く、化粧プレートをプレート枠に見栄え良く取り付けることができるという効果がある。
【図面の簡単な説明】
【図１】本発明の基本例１を示す前面側から見た斜視図である。
【図２】同上の背面側から見た斜視図である。
【図３】同上のプレート枠の要部を示す一部省略した斜視図である。
【図４】同上のプレート枠を示し、（ａ）は正面図、（ｂ）は左側から見た側面断面図、（ｃ）は右側から見た側面断面図、（ｄ）は下側から見た側面断面図、（ｅ）は下側から見た側面断面図、（ｆ）は背面図である。
【図５】同上のプレート枠の要部側面断面図である。
【図６】同上のプレート枠の要部側面断面図である。
【図７】同上の化粧プレートを示し、（ａ）は正面図、（ｂ）は左側から見た側面断面図、（ｃ）は下側から見た側面断面図、（ｄ）は背面図である。
【図８】同上の化粧プレートの要部側面断面図である。
【図９】同上の化粧プレートの要部側面断面図である。
【図１０】同上のプレート枠に化粧プレートを取り付けた状態を示し、（ａ）は正面図、（ｂ）は右側から見た一部破断した側面図、（ｃ）は下側から見た側面断面図である。
【図１１】同上における配線器具の一例を示す斜視図である。
【図１２】（ａ）及び（ｂ）は同上のプレート枠への配線器具の取り付け方を説明するための説明図である。
【図１３】同上における化粧プレートの他の構成を示し、（ａ）は正面図、（ｂ）は右側から見た側面断面図、（ｃ）は背面図、（ｄ）は下側から見た側面断面図である。
【図１４】同上におけるプレート枠の他の構成を示し、（ａ）は正面図、（ｂ）は左側から見た側面断面図、（ｃ）は右側から見た側面断面図、（ｄ）は背面図、（ｅ）は下側から見た側面断面図、（ｆ）は下側から見た側面断面図である。
【図１５】本発明の基本例２のプレート枠を示し、（ａ）は正面図、（ｂ）は左側から見た側面断面図、（ｃ）は右側から見た側面断面図、（ｄ）は下側から見た側面断面図、（ｅ）は下側から見た側面断面図、（ｆ）は背面図である。
【図１６】同上のプレート枠の要部側面断面図である。
【図１７】同上のプレート枠の要部側面断面図である。
【図１８】本発明の実施形態１のプレート枠を示し、（ａ）は正面図、（ｂ）は左側から見た側面断面図、（ｃ）は右側から見た側面断面図、（ｄ）は背面図、（ｅ）は下側から見た側面断面図、（ｆ）は下側から見た側面断面図である。
【図１９】本発明の実施形態２のプレート枠を示し、（ａ）は正面図、（ｂ）は左側から見た側面断面図、（ｃ）は右側から見た側面断面図、（ｄ）は背面図、（ｅ）は下側から見た側面断面図である。
【図２０】同上のプレート枠の要部側面断面図である。
【図２１】同上のプレート枠の要部側面断面図である。
【図２２】同上の化粧プレートを示し、（ａ）は正面図、（ｂ）は左側から見た側面断面図、（ｃ）は背面図、（ｄ）は下側から見た側面断面図である。
【図２３】同上の化粧プレートの要部側面断面図である。
【図２４】同上の化粧プレートの要部側面断面図である。
【符号の説明】
Ａ  プレート枠
Ｂ  化粧プレート
１  プレート枠本体
２  開口部
３  側枠片
４  固定梁部
４ａ  係止溝
５  可動梁部
５ａ  係止溝
６  連結部
５０  プレート本体
５１ａ  開口窓
５２  側壁
５３  係止突起
【図１】
0003562227.tif 000002
【図２】
0003562227.tif 000003
【図３】
0003562227.tif 000004
【図４】
0003562227.tif 000005
【図５】
0003562227.tif 000006
【図６】
0003562227.tif 000007
【図７】
0003562227.tif 000008
【図８】
0003562227.tif 000009
【図９】
0003562227.tif 000010
【図１０】
0003562227.tif 000011
【図１１】
0003562227.tif 000012
【図１２】
0003562227.tif 000013
【図１３】
0003562227.tif 000014
【図１４】
0003562227.tif 000015
【図１５】
0003562227.tif 000016
【図１６】
0003562227.tif 000017
【図１７】
0003562227.tif 000018
【図１８】
0003562227.tif 000019
【図１９】
0003562227.tif 000020
【図２０】
0003562227.tif 000021
【図２１】
0003562227.tif 000022
【図２２】
0003562227.tif 000023
【図２３】
0003562227.tif 000024
【図２４】
0003562227.tif 000025